(57)【要約】【課題】  煙突内の点検・補修作業時に於いて、容易且つ迅速に施工でき、ゴンドラの移動に合わせて移動可能であり、煙突内の落下物から作業者の安全を守ることができる煙突内落下物防止養生方法及び養生装置を提供する。【解決手段】  煙突１内に吊下されるゴンドラ１１の上端に直接又は所定間隔離間して膨張・収縮自在のバルーン２３を設け、煙突１内の作業時にバルーン２３を煙突１内で膨張させ、且つ、該バルーン２３を前記ゴンドラ１１と共に移動させ、煙突１内の落下物をバルーン２３の上面である屋根部２３ａで受け止めるようにした煙突内落下物防止養生方法及び養生装置２１を提供する。【選択図】  図１
2006016858.tif 000002
【特許請求の範囲】
【請求項１】
煙突内に吊下されるゴンドラの上端に直接又は所定間隔離間して膨張・収縮自在のバルーンを設け、煙突内の作業時にバルーンを煙突内で膨張させ、且つ、該バルーンを前記ゴンドラと共に移動させ、煙突内の落下物をバルーンの上面である屋根部で受け止めるようにしたことを特徴とする煙突内落下物防止養生方法。
【請求項２】
煙突内に吊下されるゴンドラの上端に直接又は所定間隔離間して設けられる膨張・収縮自在のバルーンと、該バルーンに空気を供給する空気供給手段と、該バルーンの空気を排気する排気手段とを備え、煙突内の作業時に煙突内でバルーンを膨張させ、且つ、該バルーンを前記ゴンドラと共に移動させ、煙突内の落下物をバルーンの上面である屋根部で受け止めるように構成したことを特徴とする煙突内落下物防止養生装置。
【請求項３】
上記バルーンは３つの分割バルーンを結合して形成され、該分割バルーンの３つの結合部にゴンドラを吊下するワイヤロープを遊嵌させるためのパイプが夫々固着されていることを特徴とする請求項２記載の煙突内落下物防止養生装置。
【請求項４】
上記バルーンは２つの分割バルーンを結合して形成され、該分割バルーンの２つの結合部にゴンドラを吊下するワイヤロープを遊嵌させるためのパイプが夫々固着されていることを特徴とする請求項２記載の煙突内落下物防止養生装置。
【請求項５】
上記バルーンは４つの分割バルーンを結合して形成され、該分割バルーンの４つの結合部にワイヤロープを遊嵌させるためのパイプが夫々固着されていることを特徴とする請求項２記載の煙突内落下物防止養生装置。
【請求項６】
上記バルーンに複数のスリット部が形成され、該スリット部にワイヤロープを遊嵌させるためのパイプが夫々固着されていることを特徴とする請求項２記載の煙突内落下物防止養生装置。
【請求項７】
上記バルーンの外周にドーナツ状のバルーンを接合自在に設けたことを特徴とする請求項２，３，４，５又は６記載の煙突内落下物防止養生装置。
【請求項８】
上記パイプは二つ割パイプであることを特徴とする請求項２，３，４，５，６又は７記載の煙突内落下物防止養生装置。
【請求項９】
上記バルーンの屋根部は２重シートで形成されていることを特徴とする請求項２，３，４，５，６，７又は８記載の煙突内落下物防止養生装置。
【請求項１０】
上記バルーンは屋根部が円錐形状に形成されていることを特徴とする請求項２，３，４，５，６，７，８又は９記載の煙突内落下物防止養生装置。
【発明の詳細な説明】
【技術分野】
【０００１】
本発明は、煙突内の作業時に煙突内の落下物が作業者に落下しないようにして作業者の安全を図った煙突内落下物防止養生方法及び養生装置に関する。
【背景技術】
【０００２】
従来、煙突内部ライニング材である耐火材等を定期的に点検及び補修を行なう場合に於いて、煙突内部に作業用足場又はゴンドラを仮設するが、足場又はゴンドラは、足場又はゴンドラ部材を煙突内部に搬入し、組み立てて後、点検及び補修作業に使用する。
【０００３】
この時、点検や補修の対象となる耐火材は、酸或いは熱によって劣化しており、剥落しやすい状態となっており、ゴンドラの組み立て作業、耐火材の点検や補修の際に、振動や衝撃で耐火材が飛来落下し、人身事故につながる可能性があった。
【０００４】
そこで、従来は、ゴンドラを煙道内で組み立てた後、煙突内部へ移動し、作業を行なっていた。但し、煙道の構造上煙道内で組み立てられない場合は、直接煙突内部で組み立てていた。
【０００５】
そして、点検や補修作業中の劣化した耐火材の飛来落下防止については、例えば、ゴンドラ上部に足場板又はコンクリートパネルを加工して取り付ける等して耐火材の飛来落下防止のための養生を行なっていた。
【０００６】
又、特許文献１には、耐火材の飛来落下防止のため伸縮用バルーンと屋根用バルーンとを用いる煙突内作業用防護装置が記載され、詳細には、伸縮用バルーンと屋根用バルーンとをエアーを抜いて煙突筒身内に搬入し、まず伸縮用バルーンにエアーを供給して屋根用バルーンを所定高さに持ち上げ、その後、屋根用バルーンにエアーを供給して膨張させ、筒身内に内接させて屋根を形成し、次いで、伸縮用バルーンのエアーを抜いて伸縮用バルーンを屋根バルーンの下面まで引き上げ、屋根用バルーンの下面に作業用空間を確保するように構成した煙突内作業用防護装置が記載されている。
【０００７】
更に、特許文献２には、耐火材の飛来落下防止のため円筒状に膨張する防護体を用いる落下物防護方法が記載され、更に詳細には、防護体を昇降索で煙突内の所定高さに吊り上げたのち、防護体内に加圧空気を供給して円筒状に膨張させ、膨張した防護体で煙突内を上下に区分し、その下方にゴンドラを組み立てるための作業空間を確保するようにした落下物防護方法が記載されている。
【特許文献１】実開平３−９３５６１号公報
【特許文献２】特開平５−３２２１５１号公報
【発明の開示】
【発明が解決しようとする課題】
【０００８】
上述したように、煙突内の組み立て作業、点検や補修作業中の劣化した耐火材の飛来落下防止については、例えば、ゴンドラ上部に足場板又はコンクリートパネルを加工して取り付け養生を行なっていた。
【０００９】
然しながら、この養生は、煙道内部で事前に取り付ける場合と、煙突内部で行なう場合とがあり、煙突内部で養生を行なう場合は、養生作業中に作業員が飛来落下物に当たる可能性が高くなり、特に、足場板又はコンクリートパネルを加工して煙突の径に合わせるための作業は手間がかかり非常に危険であり、更には、作業完了後はこれらの足場板及びコンクリートパネルを廃棄することになり、不経済である等の問題があった。
【００１０】
又、特許文献１の煙突内作業用防護装置は足場板又はコンクリートパネルが不要であり、従って、これらの設置作業時間が不要であり、又、作業の危険性もなく、足場板又はコンクリートパネルの廃棄の問題も発生しない利点がある。
【００１１】
然しながら、この煙突内作業用防護装置は、屋根用バルーンを筒身内に内接させて屋根を形成するため、屋根用バルーンを設置した後、作業位置の移動に伴い屋根用バルーンを他の位置に移動させることが比較的困難であり、且つ、屋根用バルーンを高い位置に移動させることが極めて困難である。
【００１２】
更に、特許文献２は、防護体の下方にゴンドラを組み立てるための作業空間を確保することができるものである。
然しながら、特許文献２の防護体はゴンドラを組み立てるための作業空間を確保するために用いるものであり、点検・補修作業の空間を確保するものではなく、防護体は膨張させた位置に固定され、自由に移動できる構造ではない。
【００１３】
例えば、防護体を移動させようとする場合は、その都度防護体のエアーを抜いて移動させ、移動位置で防護体にエアーを供給して固定することになり、その操作が煩雑である。
【００１４】
以上の現状に鑑み、本発明は、煙突内の点検・補修作業時に於いて、容易且つ迅速に施工でき、ゴンドラの移動に合わせて移動可能であり、煙突内の落下物から作業者の安全を守ることができる煙突内落下物防止養生方法及び養生装置を提供することを目的とする。
【課題を解決するための手段】
【００１５】
上記の課題を解決すべく、本発明は以下の構成を提供する。
請求項１に係る発明は、煙突内に吊下されるゴンドラの上端に直接又は所定間隔離間して膨張・収縮自在のバルーンを設け、煙突内の作業時にバルーンを煙突内で膨張させ、且つ、該バルーンを前記ゴンドラと共に移動させ、煙突内の落下物をバルーンの上面である屋根部で受け止めるようにしたことを特徴とする煙突内落下物防止養生方法を提供するものである。
【００１６】
請求項２に係る発明は、煙突内に吊下されるゴンドラの上端に直接又は所定間隔離間して設けられる膨張・収縮自在のバルーンと、該バルーンに空気を供給する空気供給手段と、該バルーンの空気を排気する排気手段とを備え、煙突内の作業時に煙突内でバルーンを膨張させ、且つ、該バルーンを前記ゴンドラと共に移動させ、煙突内の落下物をバルーンの上面である屋根部で受け止めるように構成したことを特徴とする煙突内落下物防止養生装置を提供するものである。
【００１７】
請求項３に係る発明は、上記バルーンは３つの分割バルーンを結合して形成され、該分割バルーンの３つの結合部にゴンドラを吊下するワイヤロープを遊嵌させるためのパイプが夫々固着されていることを特徴とする請求項２記載の煙突内落下物防止養生装置を提供するものである。
【００１８】
請求項４に係る発明は、上記バルーンは２つの分割バルーンを結合して形成され、該分割バルーンの２つの結合部にゴンドラを吊下するワイヤロープを遊嵌させるためのパイプが夫々固着されていることを特徴とする請求項２記載の煙突内落下物防止養生装置を提供するものである。
【００１９】
請求項５に係る発明は、上記バルーンは４つの分割バルーンを結合して形成され、該分割バルーンの４つの結合部にワイヤロープを遊嵌させるためのパイプが夫々固着されていることを特徴とする請求項２記載の煙突内落下物防止養生装置を提供するものである。
【００２０】
請求項６に係る発明は、上記バルーンに複数のスリット部が形成され、該スリット部にワイヤロープを遊嵌させるためのパイプが夫々固着されていることを特徴とする請求項２記載の煙突内落下物防止養生装置を提供するものである。
【００２１】
請求項７に係る発明は、上記バルーンの外周にドーナツ状のバルーンを接合自在に設けたことを特徴とする請求項２，３，４，５又は６記載の煙突内落下物防止養生装置を提供するものである。
【００２２】
請求項８に係る発明は、上記パイプは二つ割パイプであることを特徴とする請求項２，３，４，５，６又は７記載の煙突内落下物防止養生装置を提供するものである。
【００２３】
請求項９に係る発明は、上記バルーンの屋根部は２重シートで形成されていることを特徴とする請求項２，３，４，５，６，７又は８記載の煙突内落下物防止養生装置を提供するものである。
【００２４】
請求項１０に係る発明は、上記バルーンは屋根部が円錐形状に形成されていることを特徴とする請求項２，３，４，５，６，７，８又は９記載の煙突内落下物防止養生装置を提供するものである。
【発明の効果】
【００２５】
本発明の請求項１記載の発明によれば、煙突内に吊下されるゴンドラの上端に直接又は所定間隔離間して膨張・収縮自在のバルーンを設け、煙突内の作業時にバルーンを煙突内で膨張させ、且つ、該バルーンを前記ゴンドラと共に移動させ、煙突内の落下物をバルーンの上面である屋根部で受け止めるようにした煙突内落下物防止養生方法を提供するので、煙突内の点検・補修作業時に於いて、煙突内落下物防止養生装置は容易且つ迅速に施工でき、ゴンドラの移動に合わせて移動可能であり、煙突内の落下物から作業者の安全を守ることができる。
【００２６】
請求項２記載の発明によれば、煙突内に吊下されるゴンドラの上端に直接又は所定間隔離間して設けられる膨張・収縮自在のバルーンと、該バルーンに空気を供給する空気供給手段と、該バルーンの空気を排気する排気手段とを備え、煙突内の作業時に煙突内でバルーンを膨張させ、且つ、該バルーンを前記ゴンドラと共に移動させ、煙突内の落下物をバルーンの上面である屋根部で受け止めるように構成した煙突内落下物防止養生装置を提供するので、煙突内の点検・補修作業時に於いて、請求項１記載の発明と同様の効果が期待できる。
【００２７】
請求項３記載の発明によれば、上記バルーンは３つの分割バルーンを結合して形成され、該分割バルーンの３つの結合部にゴンドラを吊下するワイヤロープを遊嵌させるためのパイプが夫々固着されているので、請求項２記載の発明の効果に加え、煙突内落下物防止養生装置を円形デッキ型ゴンドラに対して好適に用いることができる。
【００２８】
請求項４記載の発明によれば、上記バルーンは２つの分割バルーンを結合して形成され、該分割バルーンの２つの結合部にゴンドラを吊下するワイヤロープを遊嵌させるためのパイプが夫々固着されているので、請求項２記載の発明の効果に加え、煙突内落下物防止養生装置をデッキ型ゴンドラに対して好適に用いることができる。
【００２９】
請求項５記載の発明によれば、上記バルーンは４つの分割バルーンを結合して形成され、該分割バルーンの４つの結合部にワイヤロープを遊嵌させるためのパイプが夫々固着されているので、請求項２記載の発明の効果に加え、ゴンドラを吊下する３つ又は２つのワイヤロープをパイプに遊嵌させることができ、円形デッキ型ゴンドラ又はデッキ型ゴンドラに対して好適に用いることができる。
【００３０】
請求項６記載の発明によれば、上記バルーンに複数のスリット部が形成され、該スリット部にワイヤロープを遊嵌させるためのパイプが夫々固着されているので、スリット部に固着されたパイプにワイヤロープを遊嵌させることができ、請求項５記載の発明と略同様の効果を得ることができる。
【００３１】
請求項７記載の発明によれば、上記バルーンの外周にドーナツ状のバルーンを接合自在に設けたので、請求項２，３，４，５又は６記載の発明の効果に加え、煙突内の内径の大きさに合わせて、ドーナツ状のバルーンを接合又は取り外してバルーンの外径を調節することができる。
【００３２】
請求項８記載の発明によれば、上記パイプは二つ割パイプであるので、請求項２，３，４，５，６又は７記載の発明の効果に加え、二つ割パイプを開閉して容易にワイヤロープを遊嵌させることができる。
【００３３】
請求項９記載の発明によれば、上記バルーンの屋根部は２重シートで形成されているので、請求項２，３，４，５，６，７又は８記載の発明の効果に加え、煙突内落下物による屋根部の損傷を防止することができる。
【００３４】
請求項１０記載の発明によれば、上記バルーンは屋根部が円錐形状に形成されているので、請求項２，３，４，５，６，７，８又は９記載の発明の効果に加え、円錐形状の屋根部によって煙突内落下物を緩衝しながら受け止めることができ、落下物による屋根部の損傷を防止できると共に、落下物を屋根部に堆積させることなくバルーンの外周に落下させることができる。
【発明を実施するための最良の形態】
【００３５】
以下、実施例を示した図面を参照しつつ本発明の実施の形態を説明する。
図１に於いて、１は煙突を示し、煙突１は地上に起立する筒身２内にライニング材３の内壁が形成され、煙突１の外周下部に略水平に延びる煙道４が煙突１と連通して形成されている。
【００３６】
又、図に於て、１１は簡易型ゴンドラである円形デッキ型のゴンドラを示し、ゴンドラ１１は床板１２上に所定高さの縦枠１３，１３…が起立して設けられ、縦枠１３，１３…に環状の横枠１４，１４…が組み合わされて所定高さの枠組み体１５が形成され、更に、床板１２上に支柱１６，１６…が立設され、支柱１６，１６…の上部に３個のワインダー１７，１７，１７が設けられている。
【００３７】
更に又、ワインダー１７，１７，１７の上方に水平に延びる横板１８が設けられ、横板１８は端部に垂設される脚部１９，１９…を備え、脚部１９，１９…が支柱１６，１６…の上部に固定されている。
【００３８】
又、図１及び図２に於て、２１は煙突１内に吊下される円形デッキ型ゴンドラ１１と共に用いられる本発明の煙突内落下物防止養生装置を示し、煙突内落下物防止養生装置２１は、ゴンドラ１１の上端に直接又は所定間隔離間して設けられる膨張・収縮自在のバルーン２３を備え、バルーン２３は、例えば、厚み０．２ｍｍ、１４８ｇ／ｍ２の特殊ナイロンタフタ等から成り、バルーン２３の下端部にはバルーン２３に空気を供給する空気供給手段である空気供給パイプ２４，２４，２４と、該バルーン２３の空気を排気する排気手段である排気パイプ２５，２５，２５とが具備されている。
【００３９】
バルーン２３は略円筒形に形成され、上端である屋根部２３ａは円錐形状に形成され、且つ、二重シートで形成されている。更に、バルーン２３は平面視３等分に分割されて３個の分割バルーン２６，２７，２８から構成されており、３個の分割バルーン２６，２７，２８は図３（ａ）に示す如く、紐２９，２９…で縫合されており、又は、同図（ｂ）に示す結合帯３０，３０…で結合されている。尚、結合帯３０，３０…と分割バルーン２６，２７，２８とは糸で縫合され、或いは、面ファスナー等で結合されている。
【００４０】
更に、３個の分割バルーン２６，２７，２８の夫々の接合部には、接合部の上下に貫通する二つ割パイプ３１，３２，３３が設けられ、二つ割パイプ３１，３２，３３はゴンドラ１１を吊下する例えば直径８ｍｍのワイヤロープ３４，３５，３６を摺動自在に遊嵌させる構造になっており、且つ、図３（ｃ）に示すように、蝶番４０，４０…によって二つ割状に開閉自在となっており、ワイヤロープ３４，３５，３６を遊嵌自在に形成されている。
【００４１】
更に又、前記空気供給パイプ２４，２４，２４は開閉弁４１，４１，４１を介して分岐用タンク４２に連結され、分岐用タンク４２はゴンドラ１１に置かれ、図示しないコンプレッサーに連結されている。一方、前記排気パイプ２５，２５，２５にも夫々開閉弁４３，４３，４３が設けられている。
【００４２】
而して、本発明の煙突内落下物防止養生装置２１にワイヤロープ３４，３５，３６を通す場合は、ワイヤロープ３４，３５，３６を煙突１内に垂設し、ワイヤロープ３４，３５，３６を煙道４内に引き込み、煙道４内に於いて、ワイヤロープ３４，３５，３６を夫々二つ割パイプ３１，３２，３３に遊嵌させ、二つ割パイプ３１，３２，３３を空気が供給されてない分割バルーン２６，２７，２８の接合部に取り付けた後、分割バルーン２６，２７，２８の接合部を接合する。
【００４３】
次に、ゴンドラ１１を組み立てる場合は、図４(ａ)に示す如く、煙道４内に十分なスペースがある場合は、煙道４内でゴンドラ１１を組み立て、煙突内落下物防止養生装置２１を通したワイヤロープ３４，３５，３６の下端部をゴンドラ１１のワインダー１７，１７，１７に巻回し、煙突内落下物防止養生装置２１をゴンドラ上に載置し、次に、煙突内落下物防止養生装置２１と共にゴンドラ１１を煙突１内に移動させ、煙突内落下物防止養生装置２１の分割バルーン２６，２７，２８に空気供給パイプ２４，２４，２４を介して空気を供給し、煙突内落下物防止養生装置２１を膨張させる。
【００４４】
そして、煙突内落下物防止養生装置２１はゴンドラ１１上に載置されてゴンドラ１１上方を覆い、煙突内の落下物を受け止め、ゴンドラ１１上の作業者の安全を守ることができる。ゴンドラ１１は点検作業、或いは、補修作業に対応してワインダー１７，１７，１７がワイヤロープ３４，３５，３６を巻回して回転することにより上下に移動するが、この時、煙突内落下物防止養生装置２１もゴンドラ１１と共に移動する。
【００４５】
又、図４(ｂ)に示す如く、煙道４内にゴンドラ１１を組み立てるための十分なスペースがない場合は、煙道４内で煙突内落下物防止養生装置２１の二つ割パイプ３１，３２，３３にワイヤロープ３４，３５，３６を遊嵌させた後、二つ割パイプ３１，３２，３３を煙突内落下物防止養生装置２１のバルーン２３の接合部に固着し、更に、二つ割パイプ３１，３２，３３をワイヤクリップ（図示せず）等でワイヤロープ３４，３５，３６に止め、次に、煙突内落下物防止養生装置２１を煙突１内に移動させ、ワイヤロープ３４，３５，３６に吊下した状態で煙突内落下物防止養生装置２１内に空気を供給して膨張させる。
【００４６】
次に、煙突内落下物防止養生装置２１の下方でゴンドラ１１を組み立てる。ゴンドラ１１を組み立てた後、ワイヤクリップを外し、煙突内落下物防止養生装置２１をゴンドラ１１上端にセットする。
【００４７】
そして、点検作業、或いは、補修作業に対応してワインダー１７，１７，１７がワイヤロープ３４，３５，３６を巻回して回転するとゴンドラ１１は上下に移動するが、この時、煙突内落下物防止養生装置２１もゴンドラ１１と共に移動する。
【００４８】
斯くして、本発明の煙突内落下物防止養生装置２１は、煙突１内の点検・補修作業時に於いて、容易且つ迅速に施工でき、ゴンドラ１１の移動に合わせて移動可能であり、煙突１内の落下物から作業者の安全を守ることができる。
【００４９】
又、本発明の煙突内落下物防止養生装置２１に於いて、バルーン２３は３つの分割バルーン２６，２７，２８を接合して形成され、３個の分割バルーン２６，２７，２８の夫々の接合部には、接合部の上下に貫通する二つ割パイプ３１，３２，３３が設けられるので、二つ割パイプ３１，３２，３３にワイヤロープ３４，３５，３６を遊嵌させることができ、３本のワイヤロープ３４，３５，３６に吊下される円形デッキ型ゴンドラ上に煙突内落下物防止養生装置２１を載置して好適に用いることができる。
【００５０】
更に又、本発明の煙突内落下物防止養生装置２１に二つ割パイプ３１，３２，３３を設けたので、二つ割パイプ３１，３２，３３を開閉して容易にワイヤロープ３４，３５，３６を遊嵌させることができる。
【００５１】
そして、本発明の煙突内落下物防止養生装置２１はバルーン２３の屋根部２３ａが２重シートで形成されているので、煙突内落下物に対する耐久性を高めることができ、損傷を防止できる。
【００５２】
又、本発明の煙突内落下物防止養生装置２１のバルーン２３は屋根部２３ａが円錐形状に形成されているので、煙突１内落下物を緩衝しながら受け止めることができ、屋根部２３ａの損傷を防止できると共に、落下物を屋根上に堆積させることなくバルーンの外周に落下させることができる。
【００５３】
図５は他の煙突内落下物防止養生装置５１を示し、煙突内落下物防止養生装置５１はデッキ型のゴンドラ（図示せず）と共に用いるものであり、煙突内落下物防止養生装置５１のバルーン５２は、前記煙突内落下物防止養生装置（図２に於いて２１）のバルーン（図２に於いて２３）が３個の分割バルーン（図２に於いて２６，２７，２８）から構成されているのに代えて、２個の分割バルーン５３，５４から構成されている。尚、図に於いて、空気供給パイプ及び排気パイプは図示を省略している。
【００５４】
そして、２個の分割バルーン５３，５４の夫々の接合部には、接合部の上下に貫通し、且つ、ワイヤロープ５５，５６を遊嵌させるための同形状の二つ割パイプ５７，５８が設けられ、二つ割パイプ５７は同図（ｂ）に示す如く、蝶番４０，４０…によって二つ割状に開閉自在となっており、二つ割パイプ５７の上端外周部には分割バルーン５３，５４を保持するための係止部５９，５９が外方に突出して形成されている。
【００５５】
又、デッキ型のゴンドラは一般に床板から上端までの高さが低く形成されているので、デッキ型のゴンドラにバルーン５２を直接載置すると、ゴンドラ上の作業員の作業高さが確保されないため、ゴンドラ上の作業員の作業高さを確保すべく、二つ割パイプ５７，５８を比較的長く形成し、バルーン５２に取り付けた時に、二つ割パイプ５７，５８の下端部を所定長さバルーン５２の下方に突出させて脚部５７ａ，５８ａとし、脚部５７ａ，５８ａの下端部をデッキ型のゴンドラ上端に載置して、バルーン５２をデッキ型のゴンドラから上方に所定間隔離間させ、ゴンドラ上の作業空間を確保するように構成している。尚、脚部５７ａ，５８ａの高さは任意に調節可能である。
【００５６】
斯くして、煙突内落下物防止養生装置５１のバルーン５２は、２本のワイヤロープ５５，５６に吊下されるデッキ型ゴンドラ上端に脚部５７ａ，５８ａを載置してデッキ型ゴンドラ上に載置し、好適に用いることができると共に、ゴンドラ上に十分な作業スペースを確保することができる。
【００５７】
図６は、更に他の煙突内落下物防止養生装置６１を示し、煙突内落下物防止養生装置６１は円形デッキ型のゴンドラ及びデッキ型のゴンドラの何れにも用いることができるようにしたものであり、煙突内落下物防止養生装置６１のバルーン６２は、前記煙突内落下物防止養生装置（図２に於いて２１）のバルーン（図２に於いて２３）が３個の分割バルーン（図２に於いて２６，２７，２８）から構成されているのに代えて、４個の分割バルーン６３，６４，６５，６６から構成され、２個の分割バルーン６３，６４は平面視１２０度に開く扇形に夫々形成され、バルーン６５，６６は平面視６０度に開く扇形に形成されている。
【００５８】
而して、前記煙突内落下物防止養生装置６１を円形デッキ型のゴンドラと共に用いる場合は、分割バルーン６３と６４の間、分割バルーン６４と６５の間、分割バルーン６６と６３の間の接合部に二つ割パイプ６７，６８，６９を固着して後、分割バルーン６３，６４，６５，６６を接合し、バルーン６２を円形デッキ型のゴンドラ上に載置する。
【００５９】
又、デッキ型のゴンドラと共に用いる場合は、分割バルーン６３と６４の間、分割バルーン６５と６６の間の接合部に前記二つ割パイプ（図５に於いて５７）と同様の比較的長さが長い二つ割パイプ７０，７１を固着し、且つ、二つ割パイプ７０，７１の下端部をバルーン６２の下方に垂下させて脚部とし、この脚部をデッキ型のゴンドラ上に載置する。この時、脚部によってデッキ型のゴンドラ上に所定高さの作業空間が確保される。
【００６０】
斯くして、煙突内落下物防止養生装置６１のバルーン６２は４つの分割バルーン６３，６４，６５，６６を結合して形成され、分割バルーン６３，６４，６５，６６の４つの結合部にワイヤロープを遊嵌させるための二つ割パイプ６７，６８，６９又は７０，７１が夫々固着されるので、煙突内落下物防止養生装置６１は円形デッキ型ゴンドラ又はデッキ型ゴンドラに対して好適に用いることができる。
【００６１】
図７は、更に他の煙突内落下物防止養生装置８１を示し、該煙突内落下物防止養生装置８１は、前記煙突内落下物防止養生装置（図６に於いて６１）と同様に円形デッキ型のゴンドラ及びデッキ型のゴンドラの何れにも用いることができるようにしたものであり、煙突内落下物防止養生装置８１のバルーン８２は、前記煙突内落下物防止養生装置（図２に於いて２１）のバルーン（図２に於いて２３）が３個の分割バルーン（図２に於いて２６，２７，２８）から構成されているのに代えて、分割することなく一体に気密に形成し、４つのスリット８３，８４，８５，８６をバルーン８２の平面視に於いて放射状に中央部近傍から外周まで延びて形成したものであり、スリット８３，８４及び８６は互いに１２０度離間して形成され、スリット８３と８５とは同一直線上に形成されている。
【００６２】
而して、煙突内落下物防止養生装置８１を円形デッキ型のゴンドラと共に用いる場合は、スリット８３，８４，８６に二つ割パイプ８７，８８，８９を固着してバルーン８２を円形デッキ型のゴンドラ上に載置する。
【００６３】
一方、煙突内落下物防止養生装置８１をデッキ型のゴンドラと共に用いる場合は、スリット８３，８５に比較的長さの長い二つ割パイプ９０，９１を固着して二つ割パイプ９０，９１の下端部をバルーン８２の下方に垂下させて脚部とし、脚部をデッキ型のゴンドラ上に載置する。
【００６４】
斯くして、前記煙突内落下物防止養生装置８１のバルーン８２は、バルーン８２に複数のスリット８３，８４，８５，８６が形成されているので、スリット８３，８４，８５，８６に固着された二つ割パイプ８７，８８，８９又は９０，９１にワイヤロープ３４，３５，３６又は５５，５６を遊嵌させることができ、前記煙突内落下物防止養生装置（図６に於いて６１）と略同様の効果を得ることができる。
【００６５】
尚、前記煙突内落下物防止養生装置８１に於いて、スリットを４つ設けたが、これに限定されず、スリットを３つ、又は、２つ設けることにより、前述した煙突内落下物防止養生装置２１又は５１と同様の機能を持たせることも可能である。
【００６６】
図８は、更に他の煙突内落下物防止養生装置１０１を示し、煙突内落下物防止養生装置１０１のバルーン１０２は、前記煙突内落下物防止養生装置（図２に於いて２１）のバルーン（図２に於いて２３）の３個の分割バルーン２６，２７，２８に追加して、３個の分割バルーン２６，２７，２８の外周にドーナツ状に３個の分割バルーン１０３，１０４，１０５を着脱自在に接合したものである。
【００６７】
バルーン１０２は煙突１内の内径に合わせて、煙突１が比較的小さい内径の場合には３個の分割バルーン２６，２７，２８のみとし、煙突１が比較的大きい内径の場合には３個の分割バルーン２６，２７，２８の外周に、３個の分割バルーン１０３，１０４，１０５をドーナツ状に接合してバルーン１０２の外径の大きさを変えるものであり、比較的小さい内径の煙突１と、比較的大きい内径の煙突１の場合の両方に用いることができる。
【００６８】
斯くして、煙突内落下物防止養生装置１０１のバルーン１０２は、煙突１内の内径の大きさに合わせて、ドーナツ状の分割バルーン１０３，１０４，１０５を接合又は取り外してバルーン１０２の外径を調節することができる。
【００６９】
尚、本発明の煙突内落下物防止養生装置２１，５１，６１，８１，１０１は、前述の説明に於いてゴンドラと共に用いたが、煙突内落下物防止養生装置２１，５１，６１，８１，１０１をワイヤークリップ等で固定して移動させることにより、作業用足場を使用する作業にも用いることが可能である。
【図面の簡単な説明】
【００７０】
【図１】本発明による煙突内落下物防止養生装置、ゴンドラ、煙突及び煙道を示す切欠縦断断面図である。
【図２】円形デッキ型のゴンドラと共に用いるための本発明の煙突内落下物防止養生装置の斜視図である。
【図３】（ａ）分割バルーンの結合部を紐で縫合した状態を示す斜視図である。（ｂ）分割バルーンの結合部を結合帯で接合した状態を示す斜視図である。（ｃ）二つ割パイプの斜視図である。
【図４】（ａ）煙道内でゴンドラを組み立てる場合を示す縦断面図である。（ｂ）煙突内でゴンドラを組み立てる場合を示す縦断面図である。
【図５】（ａ）デッキ型ゴンドラと共に用いる本発明の他の煙突内落下物防止養生装置の斜視図である。（ｂ）図（ａ）に示す煙突内落下物防止養生装置に用いられる二つ割パイプの斜視図である。
【図６】円形デッキ型のゴンドラ又はデッキ型ゴンドラと共に用いることができる本発明の他の煙突内落下物防止養生装置の斜視図である。
【図７】円形デッキ型のゴンドラ又はデッキ型ゴンドラと共に用いることができる本発明の他の煙突内落下物防止養生装置の斜視図である。
【図８】煙突内の内径が小さい場合又は大きい場合の両方に対応できる本発明の他の煙突内落下物防止養生装置の斜視図である。
【符号の説明】
【００７１】
１  煙突
１１  ゴンドラ
２１，５１，６１，８１，１０１  煙突内落下物防止養生装置
２３，５２，６２，８２，１０２  バルーン
２３ａ  屋根部
２６，２７，２８，５３，５４  分割バルーン
３１，３２，３３，５７，５８  二つ割パイプ
３４，３５，３６，５５，５６  ワイヤロープ
６７，６８，６９，７０，７１  二つ割パイプ
８７，８８，８９，９０，９１  二つ割パイプ
１０３，１０４，１０５  分割バルーン
【図１】
2006016858.tif 000003
【図２】
2006016858.tif 000004
【図３】
2006016858.tif 000005
【図４】
2006016858.tif 000006
【図５】
2006016858.tif 000007
【図６】
2006016858.tif 000008
【図７】
2006016858.tif 000009
【図８】
2006016858.tif 000010